(57)【要約】      （修正有）【課題】外部装置にＴｙｐｅ−Ｃコネクタを介して接続して画像データと電力とを供給する際、その外部装置が特定の種別の場合は初期設定時間が短縮できる出力装置及びその制御方法、表示装置、並びにプログラムを提供する。【解決手段】撮像装置１００は、外部装置と接続するためのＴｙｐｅ−Ｃコネクタと、そのＣＣ端子を介して外部装置と所定の通信を行う通信部と、そのＴｘ端子を介して外部装置に画像データを出力する伝送部と備える。そのＣＣ端子の電圧レベルに基づき通信部と外部装置との接続が検出され、且つそのＳＢＵ端子の電圧レベルが所定の範囲に含まれる場合、通信部が上記所定の通信を実行していなくとも伝送部がそのＴｘ端子を介して外部装置に画像データの出力を開始するように、通信部及び伝送部を制御する。【選択図】図４
2019220088.tif 000002
【特許請求の範囲】
【請求項１】
接続した外部装置に画像データと電力とを供給可能な出力装置であって、
前記外部装置と接続するための第１端子、第２端子、および第３端子と、を備えるコネクタと、
前記第１端子を介して前記外部装置と所定の通信を行う通信手段と、
前記第２端子を介して前記外部装置に画像データを出力する出力手段と、
前記第１端子の電圧レベルに基づいて、前記出力手段と前記外部装置との接続を検出する検出手段と、
前記第３端子の電圧レベルに基づいて、前記通信手段、および前記出力手段を制御する制御手段と、
を備え、
前記制御手段は、前記検出手段が前記出力手段と前記外部装置との接続を検出し、前記第３端子の電圧レベルが所定の範囲に含まれる場合、前記通信手段が前記第１端子を介して前記外部装置と前記所定の通信を実行していなくとも、前記出力手段が前記第２端子を介して前記外部装置に画像データの出力を開始するように、前記通信手段および前記出力手段を制御することを特徴とする出力装置。
【請求項２】
前記制御手段は、前記検出手段が前記出力手段と前記外部装置との接続を検出し、前記第３端子の電圧レベルが前記所定の範囲に含まれない場合、前記通信手段が前記第１端子を介して前記外部装置と前記所定の通信を実行した後に、前記出力手段が前記第２端子を介して前記外部装置に画像データの出力を開始するように、前記通信手段および前記出力手段を制御することを特徴とする請求項１に記載の出力装置。
【請求項３】
前記制御手段は、前記検出手段が前記出力手段と前記外部装置との接続を検出し、前記第３端子の電圧レベルが前記所定の範囲に含まれる場合、前記通信手段が前記第１端子を介して前記外部装置と前記所定の通信の実行を開始する前に、前記出力手段が前記第２端子を介して前記外部装置に画像データの出力を開始するように、前記通信手段および前記出力手段を制御することを特徴とする請求項１又は２に記載の出力装置。
【請求項４】
前記制御手段は、前記検出手段が前記出力手段と前記外部装置との接続を検出し、前記第３端子の電圧レベルが前記所定の範囲に含まれる場合、前記出力手段が前記第２端子を介して前記外部装置に画像データの出力を開始したあとに、前記通信手段が前記第１端子を介して前記外部装置と前記所定の通信の実行を開始するように、前記通信手段および前記出力手段を制御することを特徴とする請求項３に記載の出力装置。
【請求項５】
前記所定の通信は、前記出力手段が、前記第２端子を介して前記画像データを出力するための設定を前記外部装置に行うための通信を含むことを特徴とする請求項１乃至４のいずれか１項に記載の出力装置。
【請求項６】
前記コネクタに設けられた第４端子と、
前記第４端子を介して前記外部装置に電力を供給するための電力制御手段と、
をさらに備え、
前記所定の通信は、前記電力制御手段が前記外部装置に供給する電力の条件を設定するための通信を含むことを特徴とする請求項１乃至５のいずれか１項に記載の出力装置。
【請求項７】
前記電力制御手段は、前記検出手段が前記出力手段と前記外部装置との接続を検出したことに応じて、前記第４端子を介して所定の供給電力を出力することを特徴とする請求項６に記載の出力装置。
【請求項８】
前記コネクタは、ＵＳＢ３．０規格に準拠したＴｙｐｅ−Ｃコネクタであって、
前記第１端子は、ＣＣ端子であり、
前記第２端子は、Ｔｘ端子であり、
前記第３端子は、ＳＢＵ端子であることを特徴とする請求項１乃至７のいずれか１項に記載の出力装置。
【請求項９】
前記コネクタは、ＵＳＢ３．０規格に準拠したＴｙｐｅ−Ｃコネクタであって、
前記第１端子は、ＣＣ端子であり、
前記第２端子は、Ｔｘ端子であり、
前記第３端子は、ＧＮＤ端子であることを特徴とする請求項１乃至７のいずれか１項に記載の出力装置。
【請求項１０】
前記所定の範囲は、所定の電圧レベルよりも大きい電圧レベルの範囲であることを特徴とする請求項１乃至９のいずれか１項に記載の出力装置。
【請求項１１】
画像データを出力する撮像手段をさらに備えることを特徴とする請求項１乃至１０のいずれか１項に記載の出力装置。
【請求項１２】
前記第３端子の電圧レベルが前記所定の範囲に含まれる場合、前記出力手段は、前記画像データとしてＭＩＰＩ信号を前記外部装置に出力することを特徴とする請求項１乃至１１のいずれか１項に記載の出力装置。
【請求項１３】
外部装置と接続するための複数の端子を有するＵＳＢ３．０規格に準拠したＴｙｐｅ−Ｃコネクタと、
前記複数の端子のうちＣＣ端子を介して前記外部装置と所定の通信を実行する通信手段と、
前記複数の端子のうちＲＸ端子を介して前記外部装置から取得した画像データに基づいて画像を表示する表示手段と、
を備え、
前記複数の端子のうちＶＢＵＳ端子と前記複数の端子のうち前記ＶＢＵＳ端子、前記ＣＣ端子、および前記ＲＸ端子とは異なる少なくとも１つの端子とが接続されることを特徴とする表示装置。
【請求項１４】
前記少なくとも１つの端子は、複数のＳＢＵ端子であることを特徴とする請求項１３に記載の表示装置。
【請求項１５】
前記少なくとも１つの端子は、複数のＧＮＤ端子のうちの少なくとも１つであることを特徴とする請求項１３に記載の表示装置。
【請求項１６】
外部装置と接続するための第１端子、第２端子、および第３端子と、を備えるコネクタを備え、接続した前記外部装置に画像データと電力とを供給可能な出力装置の制御方法であって、
前記第１端子を介して前記外部装置と所定の通信を行う通信工程と、
前記第２端子を介して前記外部装置に画像データを出力する出力工程と、
前記第１端子の電圧レベルに基づいて、前記出力装置と前記外部装置との接続を検出する検出工程と、
前記第３端子の電圧レベルに基づいて、前記通信工程、および前記出力工程を制御する制御工程と、
を備え、
前記制御工程は、前記検出工程が前記出力手段と前記外部装置との接続を検出し、前記第３端子の電圧レベルが所定の範囲に含まれる場合、前記通信工程で前記第１端子を介して前記外部装置と前記所定の通信を実行していなくとも、前記出力工程で前記第２端子を介して前記外部装置に画像データの出力を開始するように、前記通信工程および前記出力工程を制御することを特徴とする制御方法。
【請求項１７】
前記制御工程は、前記検出工程が前記出力装置と前記外部装置との接続を検出し、前記第３端子の電圧レベルが前記所定の範囲に含まれない場合、前記通信工程が前記第１端子を介して前記外部装置と所定の通信を実行した後に、前記出力工程が前記第２端子を介して前記外部装置に画像データの出力を開始するように、前記通信工程および前記出力工程を制御することを特徴とする請求項１６に記載の制御方法。
【請求項１８】
前記制御工程は、前記検出工程が前記出力装置と前記外部装置との接続を検出し、前記第３端子の電圧レベルが前記所定の範囲に含まれる場合、前記通信工程が前記第１端子を介して前記外部装置と前記所定の通信の実行を開始する前に、前記出力工程が前記第２端子を介して前記外部装置に画像データの出力を開始するように、前記通信工程および前記出力工程を制御することを特徴とする請求項１６又は１７に記載の制御方法。
【請求項１９】
前記制御工程は、前記検出工程が前記出力装置と前記外部装置との接続を検出し、前記第３端子の電圧レベルが前記所定の範囲に含まれる場合、前記出力工程が前記第２端子を介して前記外部装置に画像データの出力を開始したあとに、前記通信工程が前記第１端子を介して前記外部装置と前記所定の通信の実行を開始するように、前記通信工程および前記出力工程を制御することを特徴とする請求項１８に記載の制御方法。
【請求項２０】
請求項１乃至１２のいずれか１項に記載の出力装置の機能を実現するためにコンピュータが実行することが可能なプログラム。
【発明の詳細な説明】
【技術分野】
【０００１】
本発明は、ＵＳＢ  Ｔｙｐｅ−Ｃ機能を有する出力装置、その接続デバイスである表示装置、及びこれらの制御方法、並びにプログラムに関する。
【背景技術】
【０００２】
ＵＳＢ３．１規格において、ＵＳＢ  Ｔｙｐｅ−Ｃコネクタ（以下、Ｔｙｐｅ−Ｃコネクタという）やこれを両端に有するＵＳＢ  Ｔｙｐｅ−Ｃケーブル（以下、Ｔｙｐｅ−Ｃケーブルという）が規格化されている。また、ＵＳＢ３．１規格では、従来からあるＵＳＢ２．０のほか、ＵＳＢ  Ｐｏｗｅｒ  Ｄｅｌｉｖｅｒｙ（以下、ＰＤと呼ぶ。）やＵＳＢ  Ｂａｔｔｅｒｙ  Ｃｈａｒｇｉｎｇといった様々な規格がサポートされている。
【０００３】
さらに、ＵＳＢ３．１規格では、接続したディスプレイ（表示装置）やオーディオデバイスへ、規格に準拠した映像データや、音声データを転送することを可能とするＡｌｔｅｒｎａｔｅ  Ｍｏｄｅ（以下、Ａｌｔ．ｍｏｄｅと呼ぶ）が策定されている。ここで、規格に準拠した映像データとは具体的にはＤｉｓｐｌａｙ  Ｐｏｒｔ規格及びＨｉｇｈ−Ｄｅｆｉｎｉｔｉｏｎ  Ｍｕｌｔｉｍｅｄｉａ  Ｉｎｔｅｒｆａｃｅ（以下、ＨＤＭＩ（登録商標）と呼ぶ）である。
【０００４】
非特許文献１には、電子機器とその外部機器がＴｙｐｅ−Ｃケーブルを介して接続する場合、電子機器とＴｙｐｅ−Ｃケーブルの間でＴｙｐｅ−ＣケーブルがＰＤ規格に対応するか否かを判断するためのＥｍａｒｋｅｒ通信が行われることが開示されている。また、非特許文献１では、電子機器とその外部機器の間での、電力調整（以下、ＰＤネゴシエーションと呼ぶ）の設定方法やＡｌｔ．ｍｏｄｅを実現するための設定方法も開示されている。
【０００５】
特許文献１では、電子機器側のコネクタと外部機器側のコネクタとの挿抜により電圧レベルが変化する専用ピンを電子機器側のコネクタに設ける技術が開示されている。
【先行技術文献】
【特許文献】
【０００６】
【特許文献１】特開２００５−２４９４９４号公報
【非特許文献】
【０００７】
【非特許文献１】ＵＳＢ  Ｐｏｗｅｒ  Ｄｅｌｉｖｅｒｙ  ＳｐｅｃｉｆｉｃａｔｉｏｎＲｅｖ．３．０，Ｖｅｒｓｉｏｎ  １．１、ＵＳＢ  Ｉｍｐｌｅｍｅｎｔｅｒｓ  Ｆｏｕｒｕｍ，Ｉｎｃ，２０１７年１月１２日発行
【発明の概要】
【発明が解決しようとする課題】
【０００８】
しかしながら、非特許文献１では、電子機器がＴｙｐｅ−Ｃケーブルを介して表示装置と接続した場合、その接続後、電子機器から映像が出力され表示装置で表示されるまでの時間（初期設定時間）が長い。かかる接続後、Ｅｍａｒｋｅｒ通信、ＰＤネゴシエーション、Ａｌｔ．ｍｏｄｅ設定等を行う必要があるからである。また、特許文献１では、専用ピンにより、電子機器側のコネクタと外部機器側のコネクタとの挿抜は判定できるが、電子機器に接続された外部機器の種別の判定はできない。
【０００９】
本発明の目的は、外部装置にＴｙｐｅ−Ｃコネクタを介して接続して画像データと電力とを供給する際、その外部装置が特定の種別の場合は初期設定時間が短縮できる出力装置及びその制御方法、表示装置、並びにプログラムを提供することである。
【課題を解決するための手段】
【００１０】
本発明の請求項１に係る出力装置は、接続した外部装置に画像データと電力とを供給可能な出力装置であって、前記外部装置と接続するための第１端子、第２端子、および第３端子と、を備えるコネクタと、前記第１端子を介して前記外部装置と所定の通信を行う通信手段と、前記第２端子を介して前記外部装置に画像データを出力する出力手段と、前記第１端子の電圧レベルに基づいて、前記出力手段と前記外部装置との接続を検出する検出手段と、前記第３端子の電圧レベルに基づいて、前記通信手段、および前記出力手段を制御する制御手段と、を備え、前記制御手段は、前記検出手段が前記出力手段と前記外部装置との接続を検出し、前記第３端子の電圧レベルが所定の範囲に含まれる場合、前記通信手段が前記第１端子を介して前記外部装置と前記所定の通信を実行していなくとも、前記出力手段が前記第２端子を介して前記外部装置に画像データの出力を開始するように、前記通信手段および前記出力手段を制御することを特徴とする。
【００１１】
本発明の請求項１３に係る表示装置は、外部装置と接続するための複数の端子を有するＵＳＢ３．０規格に準拠したＴｙｐｅ−Ｃコネクタと、前記複数の端子のうちＣＣ端子を介して前記外部装置と所定の通信を実行する通信手段と、前記複数の端子のうちＲＸ端子を介して前記外部装置から取得した画像データに基づいて画像を表示する表示手段と、を備え、前記複数の端子のうちＶＢＵＳ端子と前記複数の端子のうち前記ＶＢＵＳ端子、前記ＣＣ端子、および前記ＲＸ端子とは異なる少なくとも１つの端子とが接続されることを特徴とする。
【発明の効果】
【００１２】
本発明によれば、外部装置にＴｙｐｅ−Ｃコネクタを介して接続して画像データと電力とを供給する際、その外部装置が特定の種別の場合は初期設定時間が短縮できる。
【図面の簡単な説明】
【００１３】
【図１】本発明に係る、出力装置としての撮像装置、表示装置としての特定の種別のＥＶＦ、及びケーブルからなる表示システムを示す接続図である。
【図２】図１におけるケーブルの両端に設けられるコネクタの端子の配置を示す模式図である。
【図３】撮像装置にケーブルを介してＰＤ対応であるが特定の種別ではないＥＶＦが接続されている場合の接続状態を示すブロック図である。
【図４】撮像装置にケーブルを介してＰＤ非対応のＥＶＦが接続されている場合の接続状態を示すブロック図である。
【図５】撮像装置にケーブルを介して実施例１に係る特定の種別のＥＶＦが接続されている場合の接続状態を示す要部ブロック図である。
【図６Ａ】撮像装置にケーブルを介して図３におけるＰＤ対応だが特定の種別ではないＥＶＦ又は図５における特定の種別のＥＶＦが接続されている場合に実行される、実施例１における接続制御処理の手順を示すフローチャートである。
【図６Ｂ】図６Ａの続きである。
【図６Ｃ】図６Ｂの続きである。
【図７】撮像装置にケーブルを介して実施例２に係る特定の種別のＥＶＦが接続されている場合の接続状態を示す要部ブロック図である。
【図８】撮像装置にケーブルを介して図３におけるＰＤ対応だが特定の種別ではないＥＶＦ又は図７における特定の種別のＥＶＦが接続されている場合に実行される、実施例２における接続制御処理の手順を示すフローチャートである。
【図９】実施例２における撮像装置の記録部に保存されているルックアップテーブルである。
【図１０】撮像装置にケーブルを介して実施例１，２のいずれかに係る特定の種別のＥＶＦが接続されている場合の表示制御処理の手順を示すフローチャートである。
【図１１】撮像装置にケーブルを介して実施例３に係る特定の種別のＥＶＦが接続されている場合の接続状態を示す要部ブロック図である。
【図１２】撮像装置にケーブルを介して図３におけるＰＤ対応だが特定の種別ではないＥＶＦが接続されている場合の表示制御処理の手順を示すフローチャートである。
【発明を実施するための形態】
【００１４】
以下に、本発明の好ましい実施の形態を、出力装置としての撮像装置（例えば、デジタルカメラ）と、表示装置としての特定の種別の電子ビューファインダ（以下、ＥＶＦという）に適用した例を添付の図面に基づいて詳細に説明する。
【００１５】
図１は、本発明に係る、出力装置としての撮像装置１００、表示装置としての特定の種別のＥＶＦ２００、及びケーブル３００からなる表示システムを示す接続図である。尚、図１は、撮像装置１００を背面から見た図である。ここで特定の種別のＥＶＦとは、ＵＳＢ  Ｐｏｗｅｒ  Ｄｅｌｉｖｅｒｙ（以下、ＰＤという）規格に対応し、且つ以下に後述する実施例１，２のいずれかの接続検出部２０８ａ，２０８ｂを有するＥＶＦを指す。
【００１６】
撮像装置１００は、外部装置との接続を可能にするコネクタ部１０１を有する。以下、撮像装置１００のコネクタ部１０１がＵＳＢ３．０規格に準拠したＴｙｐｅ−Ｃレセプタクル（以下、Ｔｙｐｅ−Ｃレセプタクルという）である場合について説明する。コネクタ部１０１は、複数の端子を備える。コネクタ部１０１の詳細は、後述する。
【００１７】
ＥＶＦ２００は、Ｌｉｑｕｉｄ  Ｃｒｙｓｔａｌ  Ｄｉｓｐｌａｙ（以下、ＬＣＤと呼ぶ。）やＯｒｇａｎｉｃ  Ｌｉｇｈｔ−Ｅｍｉｔｔｉｎｇ  Ｄｉｏｄｅ（以下、ＯＬＥＤと呼ぶ。）などの表示部２０３を備えた機器であり、外部装置との接続を可能にするコネクタ部２０７を有する。以下、ＥＶＦ２００のコネクタ部２０７がＴｙｐｅ−Ｃレセプタクルである場合について説明する。
【００１８】
撮像装置１００とＥＶＦ２００は、両端にＵＳＢ３．０規格に準拠したＴｙｐｅ−Ｃコネクタ（以下、Ｔｙｐｅ−Ｃコネクタという）からなるプラグを有するケーブル３００を介して接続される。ただし、撮像装置１００とＥＶＦ２００のいずれか片方のレセプタクルをプラグに変更した上で、ケーブル３００を使用せずコネクタ部１０１とコネクタ部２０７が直接接続される構成でもよい。
【００１９】
図３は、撮像装置１００にケーブル３００を介してＰＤ規格に対応するが（以下「ＰＤ対応である」という）特定の種別ではないＥＶＦ１２００ａが接続されている場合の接続状態を示すブロック図である。
【００２０】
ケーブル３００は、ＰＤ制御部３０１、Ｒａ部３０２から構成されるＥｌｅｃｔｒｉｃａｌ  Ｍａｒｋｅｄ  Ｃａｂｌｅ  Ａｓｓｅｍｂｌｙ（以下、ＥＭＣＡ）ケーブルである。Ｒａ部３０２は、プルダウン抵抗である。ＰＤ制御部３０１は、ケーブル３００の通電容量や対応プロトコル、ベンダーＩＤなどの情報を保持しており、後述する撮像装置１００のＰＤ制御部１０５と後述するＣＣ通信を行い、撮像装置１００へその情報を送信する。
【００２１】
撮像装置１００は、システム制御部１０２、ＰＤ制御部１０５、伝送ＳＷ部１０９、ＨＤＭＩ接続部１１０、Ｒｐ部１２１、電源制御部１２３、ＦＥＴ部１２５、バッテリ４００から構成される。
【００２２】
システム制御部１０２は、撮像装置１００の制御を司っており、ＰＤの通信制御を司るＰＤ制御部１０５や１つ以上有する伝送手段の伝送先を切り替えるスイッチである伝送ＳＷ部１０９の制御を行う。
【００２３】
ＰＤ制御部１０５は、ケーブル３００のＰＤ制御部３０１やＥＶＦ１２００ａのＰＤ制御部２０２と通信を行う。Ｒｐ部１２１は、後述するＣＣ及びＰＤ制御部３０１と撮像装置１００で生成される電源であるＶＣＣとの間に接続される。ここでは、ＶＣＣは５Ｖである。Ｒｐ部１２１は、ＵＳＢ  Ｔｙｐｅ−Ｃ規格に規定された所定の定数を持つ抵抗である。ここでは、この所定の定数は、２２ｋΩである。
【００２４】
ＨＤＭＩ接続部１１０は、外部機器へＨＤＭＩ規格の映像信号（以下、ＨＤＭＩ信号という）を伝送するためのコネクタである。
【００２５】
電源制御部１２３は、バッテリ４００から受信した電力を用いて、撮像装置１００内部の機能ブロックへ電力を供給する電源制御を実行する。電源制御部１２３は、バッテリ４００から受信した電圧を、それぞれの機能ブロックが受信可能な電圧に変換して出力する。また、電源制御部１２３は、外部から電力を受信し、バッテリ４００の充電制御を行うことも可能である。
【００２６】
バッテリ４００は、撮像装置１００から取り外し可能に外部に接続もしくは内蔵されたリチウムイオンバッテリである。なお、バッテリ４００は、家庭用コンセントから電力を受領可能なＡＣアダプターでもよい。
【００２７】
電力制御部１２３は、システム制御部１０２の制御により、外部機器に供給する電力を制御する。電力制御部１２３は、ＭＯＳＦＥＴ１２５を含む。撮像装置１００に所定の外部機器が接続されたと判定された場合に、システム制御部１０２がＭＯＳＦＥＴ１２５を導通させるように電力制御部１２３を制御する。また、システム制御部１０２がＰＤネゴシエーション等で設定した電力供給の条件で、外部機器に電力が供給可能なように、電力制御部１２３は、供給電圧および供給電流の上限値の少なくともいずれかを制御する。
【００２８】
システム制御部１０２は、種別判定部１０３、ＳＷ切替判定部１０４、通信部１０６、ＳＷ制御部１０７、伝送部１０８、記録部１２０、接続検出部１２６から構成される。
【００２９】
接続検出部１２６は、電圧監視部Ａ１２６０を用いて外部機器がケーブル３００を介して撮像装置１００と接続されたか否かを検出する。具体的には、Ｔｙｐｅ−Ｃレセプタクルであるコネクタ部１０１は、ケーブル３００の一端にあるＴｙｐｅ−Ｃコネクタからなるプラグのピンの１つであるＣｏｎｆｉｇｕｒａｔｉｏｎ  Ｃｈａｎｎｅｌ（以下、ＣＣ）の電圧レベルを監視する。この監視している電圧レベルが０から０より大きい値に変化したときに、接続検出部１２６はケーブル３００の他端にあるプラグに外部機器が接続されたことを検出する。
【００３０】
ここで、Ｔｙｐｅ−Ｃコネクタは、図２にその端子の配置を示すようにプラグの接続方向に依存しないコネクタ構造になっている。すなわち、プラグを表裏逆に挿しても正常に動作するようにピンの配置がコネクタ中心を基準に点対称になるように配置している。これらのピンのうち、プラグを表裏逆に挿した場合に唯一信号が一致しないピンが、Ｔｙｐｅ−Ｃコネクタの中央付近にあるピンであるＣＣである。図２に示すように、ＣＣにはＣＣ１とＣＣ２があり、ケーブル３００のプラグへのコネクタ部１０１の接続方向に応じて一方のＣＣ（ここではＣＣ１とする）が、接続検出部１２６による電圧レベルの監視対象に設定される。ＥＭＣＡケーブルであるケーブル３００においては、もう一方のＣＣ（すなわちＣＣ２）は、Ｖｃｏｎｎとなってケーブル３００に電力を供給する。
【００３１】
接続検出部１２６は、さらに電圧監視部Ｂ１２６１を用いてＳＢＵ１端子の電圧レベルを検出する。この電圧レベルと記録部１２０に保持されるパラメータを比較し、撮像装置１００からケーブル３００を介して接続される外部機器への画像表示用の信号（画像データ）の出力可否が判断される。尚、図３に示すように、ＳＢＵ２端子からの信号線は、図３に示すようにＥＶＦ１２００ａにおいてＧＮＤ接続される。
【００３２】
記録部１２０は、ケーブル３００を介して撮像装置１００と接続される外部機器の種別を特定するためのパラメータを記録している。ここで記録されるパラメータには、図９で詳細を後述するように、少なくとも、外部機器が特定の種別のＥＶＦ２００であるか否かを判定するためのパラメータが含まれる。また、記録部１２０に保存している情報は、後述する種別判定部１０３で使用する電圧範囲が含まれる。
【００３３】
種別判定部１０３は、接続検出部１２６が外部機器の接続を検出したときのＣＣ１の電圧レベルと記録部１２０に保存された電圧範囲とを照合する事によって外部機器の種別の判定を行う。
【００３４】
ＳＷ切替判定部１０４は、種別判定部１０３の結果を受けて、識別された外部機器に応じた制御を行う。詳しい制御の説明は、後述する実施例で説明する。
【００３５】
通信部１０６は、ＰＤ制御部１０５やＥＶＦ１２００ａの通信部２０１０と情報のやり取りを行う。ここで、通信部２０１０との通信には、ＵＳＢ２．０の通信プロトコルが用いられる。
【００３６】
ＳＷ制御部１０７は、ＳＷ切替判定部１０４の判定結果に応じて、伝送ＳＷ部１０９を制御し、伝送先を切り替える。詳しい制御は、後述する実施例で説明する。
【００３７】
伝送部１０８は、１つ以上の伝送手段を有している。ここでは、画像表示用の信号として、Ｍｏｂｉｌｅ  Ｉｎｄｕｓｔｒｙ  Ｐｒｏｃｅｓｓｏｒ  Ｉｎｔｅｒｆａｃｅ（以下、ＭＩＰＩと呼ぶ）信号を伝送するＭＩＰＩと、ＨＤＭＩ信号を伝送するＨＤＭＩ二つの伝送手段を有する。
【００３８】
ＥＶＦ１２００ａは、システム制御部２０１、ＰＤ制御部２０２、表示部２０３、伝送変換部２０４、Ｒｄ部２０５、ＥＶＦ電源部２０６を備える。
【００３９】
ＥＶＦ電源部２０６は、ＥＶＦ１２００ａの機能ブロック全ての電源供給源であり、それぞれの機能ブロックに合わせた電圧を生成する。ＥＶＦ電源部２０６への電源供給は、撮像装置１００よりＦＥＴ部１２５を通して行われる。
【００４０】
システム制御部２０１は、通信部２０１０、制御部２０１１から構成される。制御部２０１１は、ＥＶＦ１２００ａの制御を司っている。通信部２０１０は、ＰＤ制御部２０２や撮像装置１００と情報のやり取りを行う。
【００４１】
表示部２０３は、ＬＣＤやＯＬＥＤなどのＥＶＦ１２００ａの表示パネルである。伝送変換部２０４は、撮像装置１００の伝送ＳＷ部１０９から送信された画像表示用の信号をＲＸ端子を介して受信し、表示部２０３の伝送インターフェースに合うように変換を行う。詳細は、後述する実施例で説明する。
【００４２】
Ｒｄ部２０５は、ＵＳＢ  Ｔｙｐｅ−Ｃ規格に規定された所定の定数を持つ抵抗である。ここでは、その所定の定数は、５．１ｋΩである。
【００４３】
図４は、撮像装置１００にケーブル３００を介してＰＤ規格に非対応である（以下「ＰＤ非対応」という）ＥＶＦ１２００ｂが接続された場合の接続状態を示すブロック図である。以下、ＥＶＦ１２００ｂの構成のうち、ＥＶＦ１２００ａと同一の構成については同一の符号を付し、重複した説明は省略する。
【００４４】
ＥＶＦ１２００ｂは、ＥＶＦ電源部２０６、接続検出部２０８、システム制御部２０１、表示部２０３、接続検出部２０８から構成される。
【００４５】
接続検出部２０８は、撮像装置１００との接続を検出するための機能ブロックである。
【００４６】
システム制御部２０１は、通信部２０１０、制御部２０１１から構成される。制御部２０１１は、通信部２０１０が受信した指令値に応じて、接続検出部２０８の制御を行う。
【００４７】
このように、ＰＤ非対応のＥＶＦ１２００ｂはＰＤ対応のＥＶＦ１２００ａと異なり、ＰＤの際に必要となるＰＤ制御部２０２やＲｄ部２０５を有さない。
【実施例１】
【００４８】
実施例１の撮像装置１００（出力装置）は、接続した表示装置（外部装置）に画像データと電力とを供給可能な出力装置である。撮像装置１００は、ＣＣ端子（ＣＣ１端子、ＣＣ２端子）、Ｔｘ端子、ＳＢＵ端子（ＳＢＵ１端子、ＳＢＵ２端子）、ＶＢＵＳ端子を備えるＵＳＢ３．１規格に準拠したＴｙｐｅ−Ｃコネクタを備える。撮像装置１００は、ＣＣ端子を介して接続した表示装置と、少なくともＵＳＢ３．１規格に規定された供給電力の条件を設定するためのＰＤネゴシエーションを含む通信を実行する。また、撮像装置１００は、Ｔｘ端子を介して所定のフォーマットで画像データを出力するＡｌｔ．Ｍｏｄｅを設定するための通信を行う。また、撮像装置１００は、ＣＣ端子の電圧レベルに基づいて、撮像装置１００が外部装置と接続したことを検出する。
【００４９】
撮像装置１００は、撮像装置１００が外部装置と接続したことを検出したことに応じて、接続した外部装置が所定の種類の装置であるか否かを判定する。撮像装置１００は、判定結果に応じて、ＣＣ端子を介した通信と画像データの出力との実行の順を制御する。
【００５０】
具体的には、撮像装置１００は、外部装置と接続したＳＢＵ端子の電圧レベルが閾値よりも大きい（判定範囲に含まれる）場合に、所定の種類の装置であると判定する。ＳＢＵ端子の電圧レベルが閾値よりも大きい場合に、撮像装置１００は、接続した外部装置が所定の種類の装置であると判定し、ＰＤネゴシエーションが実行されていなくとも画像データの出力を開始する。一方で、ＳＢＵ端子の電圧レベルが閾値以下である（判定範囲に含まれない）場合に、撮像装置１００は、接続した外部装置が所定の種類の装置でないと判定し、ＰＤネゴシエーションを画像データの出力の前に実行する。
【００５１】
ここで、所定の種類の装置とは、撮像装置１００から電力を所定の条件で供給可能である装置である。このような装置が接続した場合、撮像装置１００は、ＰＤネゴシエーションにより、電力条件を装置間で設定せずとも、所定の条件で電力の供給を開始することが可能となる。
【００５２】
したがって、ＣＣ端子を介した通信、および通信で取得した情報に基づく初期設定に係る時間を短縮することが可能となることから、画像データを速やかに出力して表示装置で画像を表示することが可能となる。
【００５３】
以下、撮像装置１００、および接続する表示装置であるＥＶＦ２００について詳細に説明する。
【００５４】
図５は、撮像装置１００にケーブル３００を介して実施例１に係る特定の種別のＥＶＦが接続されている場合の接続状態を示す要部ブロック図である。ＥＶＦ２００は、以下説明する接続検出部２０８ａ及びこれと接続検出部１２６を繋ぐ信号線以外については、図３のＥＶＦ１２００ａと同一である。よって、以下の説明に関わらない符号のブロックは説明を省略すると共に、図５における表記も省略する。同様に、撮像装置１００については、図３において説明をしていなかったブロックについてのみ図５に表記し、以下の説明に関わらない符号のブロックは説明を省略する。
【００５５】
撮像装置１００の接続検出部１２６は、電圧監視部Ａ１２６０の他に、電圧監視部Ｂ１２６１及び電圧監視部Ｃ１２６２を更に備える。撮像装置１００のコネクタ部１０１とケーブル３００のプラグの接続により、電圧監視部Ｂ１２６１は図２のＡ８ピン（ＳＢＵ１端子）に、電圧監視部Ｃ１２６２は図２のＢ８ピン（ＳＢＵ２端子）にそれぞれ接続される。
【００５６】
前述の通り、Ｔｙｐｅ−Ｃのコネクタは、プラグの接続方向に依存しないコネクタ構造になっており、プラグを表裏逆に挿しても正常に動作するようにピンの配置がコネクタ中心を基準に点対称になるように配置している。加えて、記載はしないが、プラグを接続した向きを検知する機能も有している。従って、本実施例では、図５のような接続状態で説明するが、電圧監視部Ｂ１２６１が図２のＢ８ピン（ＳＢＵ２端子）、電圧監視部Ｃ１２６２が図２のＡ８ピン（ＳＢＵ１端子）に接続されても構わない。すなわち、本実施例では、２つのＳＢＵ端子のうち一方を画像表示用の信号の出力可否を判断するための端子として用い、他方をＥＶＦ２００の接続を検出するための端子として用いる。
【００５７】
ここで、特定の種別である図５のＥＶＦ２００がケーブル３００を介して外部装置としての撮像装置１００に接続された場合、ＳＢＵ１端子およびＳＢＵ２端子からの信号線はどちらも、接続検出部２０８ａ内でＶＢＵＳ＿Ｓｉｎｋに接続される。一方、前述の通りＰＤ対応であるが特定の種別ではない図３のＥＶＦ１２００ａがケーブル３００を介して撮像装置１００に接続された場合、ＳＢＵ１端子のみが、接続検出部２０８内でＶＢＵＳ＿Ｓｉｎｋに接続される。
【００５８】
撮像装置１００はケーブル３００を介して外部機器が接続された場合、電圧監視部Ｃ１２６２によりＳＢＵ２端子の電圧レベルを取得する。その取得した電圧レベルが５Ｖ未満である場合に接続検出部１２６は、外部機器としてＥＶＦ１２００ｂが撮像装置１００に装着されたと判断する。一方、その取得した電圧レベルが５Ｖである場合、接続検出部１２６は、外部機器としてＥＶＦ２００が撮像装置１００に装着されたと判断する。
【００５９】
そこで、本実施例では、ＥＶＦ１２００ａの装着があったと判断した場合、Ｅｍａｒｋｅｒ通信、ＰＤネゴシエーション及びＡｌｔ．ｍｏｄｅ設定を行い、その後ＳＢＵ１端子の電圧レベルが５Ｖである場合にＥＶＦ出力を行う。一方、ＥＶＦ２００の装着があったと判断した場合、Ｅｍａｒｋｅｒ通信及びＰＤネゴシエーションを行うことなくＡｌｔ．ｍｏｄｅの設定を行い、その後ＳＢＵ１端子の電圧レベルが５ｖである場合にＥＶＦ出力を行う。
【００６０】
図６Ａ〜６Ｃは、実施例１における接続制御処理の手順を示すフローチャートである。本処理は、撮像装置１００にケーブル３００を介して図３におけるＰＤ対応だが特定の種別ではないＥＶＦ１２００ａ又は図５における特定の種別のＥＶＦ２００が接続されている場合に実行される。
【００６１】
まず、図６Ａにおいて、撮像装置１００で本処理が開始すると（ステップＳ１０１）、ステップＳ１０２に進む。ステップＳ１０２にて、種別判定部１０３は、電圧監視部Ａ１２６０が検出したＣＣ１端子の電圧レベルが記録部１２０にパラメータとして保持される所定の電圧範囲内か否かを判定する。ここで、所定の電圧範囲内であれば、ＰＤ対応の外部機器が接続されたと判定する。尚、所定の電圧範囲とは、ＵＳＢ  Ｔｙｐｅ−Ｃ規格に規定されている電圧範囲であればよく、本実施例では、（式１）に記載された範囲が記録部１２０にパラメータとして保持される。
０．２Ｖ≦ＶＳＥＮＳＥ  Ａ＜２．０４Ｖ    ・・・・・（式１）
【００６２】
ＶＳＥＮＳＥ  Ａは、電圧監視部Ａ１２６０が検出した、ＣＣ１端子の電圧レベルである。
【００６３】
種別判定部１０３は、ＣＣ１端子の電圧レベルが所定内である場合、ＦＥＴ部１２５をアクティブとし、ＦＥＴ部１２５から撮像装置１００に接続されるＰＤ対応の外部機器に電源を供給する（ステップＳ１０３）。すなわち、撮像装置１００に接続される外部機器がＥＶＦ２００，１２００ａのいずれであってもその外部機器にＥＶＦ電源部２０６から電源が供給されてシステム制御部２０１が起動する（ステップＳ１０３１及びステップＳ１０３２）。尚、本実施例では、撮像装置１００のＶＢＵＳ＿Ｓｏｕｒｃｅ、およびＥＶＦ２００，１２００ａのＶＢＵＳ＿Ｓｉｎｋは、いずれも５．０Ｖである。
【００６４】
次に、図６Ｂに進み、電圧監視部Ｃ１２６２でＳＢＵ２端子の電圧レベルを検出する（ステップＳ１０４）。
【００６５】
撮像装置１００にケーブル３００を介して図５に示す特定の種別のＥＶＦ２００が接続された場合、ステップＳ１０４で検出されるＳＢＵ２端子の電圧レベルはＶＢＵＳ＿Ｓｉｎｋの５．０Ｖとなる（ステップＳ１０５でＹＥＳ）。すなわち、システム制御部１０２は、ステップＳ１０４で検出されるＳＢＵ２端子の電圧レベルがＶＢＵＳ＿Ｓｉｎｋの５．０Ｖであった場合、ケーブル３００を介して接続する外部機器はＥＶＦ２００であると特定する。尚、ＥＶＦ１２００ａのＳＢＵ２端子の電圧レベルは０Ｖであるので、ＳＢＵ２端子の電圧レベルが０Ｖより大きく５．０Ｖ以下の所定値以上である場合に外部機器はＥＶＦ２００であると特定するようにしてもよい。
【００６６】
かかる特定がされた場合、図６Ｃに進み、ＰＤ制御部１０５は、ＥＶＦ２００のＰＤ制御部３０１とＣＣ通信を行い、Ａｌｔ．ｍｏｄｅの設定を行う（ステップＳ１０６及びステップＳ１０６１）。また、この際、システム制御部１０２は、記録部１２０からＥＶＦ２００の各種パラメータを読み出し、解像度、フレームレート、輝度、色度、ＰＤ電流の少なくとも１つを含む設定値を設定する。
【００６７】
その後、電圧監視部Ｂ１２６１がＳＢＵ１端子の電圧レベルが５Ｖであることを確認すると（ステップＳ１０７）、ステップＳ１０８に進む。ステップＳ１０８にて、伝送部１０８が伝送ＳＷ部１０９及びケーブル３００を介してＥＶＦ２００へ画像表示用の信号を出力する。また、ＥＶＦ２００では、この出力された画像表示用の信号を伝送変換部２０４が受信・変換し、表示部２０３がその変換された信号に基づく画像を表示する（ステップＳ１０８１）。
【００６８】
その後、通信部１０６は、ケーブル３００に内蔵されたＰＤ制御部３０１とＰＤ制御部１０５を介してＥｍａｒｋｅｒ通信を行う（ステップＳ１０９）。ここで、Ｅｍａｒｋｅｒ通信とはケーブル３００が撮像装置１００からの１００ｗまでの電力を外部機器（ここではＥＶＦ２００）に供給することができるかをチェックするための通信である。この通信により、ＰＤ制御部３０１は通信部１０６へケーブル３００が扱える最大電圧と最大電流を含む仕様情報を返す。
【００６９】
このＥｍａｒｋｅｒ通信後、ＰＤ制御部１０５は、ＰＤ制御部２０２との間でＣＣ通信を行い、ＰＤネゴシエーションを行う（ステップＳ１１０及びステップＳ１１０１）。これにより、特定の種別のＥＶＦ２００における接続制御処理を終了する。一方、撮像装置１００では、システム制御部１０２が、ステップＳ１０６で設定された現在の設定値とＥｍａｒｋｅｒ通信及びＰＤネゴシエーションにより設定された設定値と比較して、再設定が必要かどうかを判断する（ステップＳ１１１）。この判断の結果、再設定が必要な場合は、設定値を置き換え（ステップＳ１１２）、一方、再設定が必要ない場合はそのまま、ステップＳ１１２ａに進む。ステップＳ１１２ａでは、終了トリガの有無を検出し、無い場合はステップＳ１０８に戻り、ＥＶＦ出力を継続する一方、有った場合はＥＶＦ出力を完了し、撮像装置１００における接続制御処理を終了する。例えば、ＰＤ電流などは、ステップＳ１０６では、システム制御部１０２は、最も少ない電流設定にしておき、ＥＶＦ２００への電力供給を行う。その後、ステップＳ１１０でＰＤネゴシエーションが完了した後に、高い電流設定にすることで、ＥＶＦ２００とケーブル３００に対して、最適なＰＤ電流にすることができる。
【００７０】
一方、図６Ｂに戻り、撮像装置１００にケーブル３００を介して図３のＰＤ対応であるが特定の種別ではないＥＶＦ１２００ａが接続された場合、ステップＳ１０４で検出されるＳＢＵ２端子の電圧レベルは５．０Ｖとならない（ステップＳ１０５でＮＯ）。この場合、Ａｌｔ．ｍｏｄｅの設定は、Ｅｍａｒｋｅｒ通信及びＰＤネゴシエーションが行われた後に実行する（ステップＳ１１３〜ステップＳ１１５及びステップＳ１１４２、ステップＳ１１５２）。その後、電圧監視部Ｂ１２６１がＳＢＵ１端子の電圧レベルが５Ｖであることを確認すると（ステップＳ１１６）、ステップＳ１１７に進む。ステップＳ１１７にて、伝送部１０８が伝送ＳＷ部１０９及びケーブル３００を介してＥＶＦ２００へ画像表示用の信号を出力する。また、ＥＶＦ１２００ａでは、この出力された画像表示用の信号を伝送変換部２０４が受信・変換し、表示部２０３がその変換された信号に基づく画像を表示する（ステップＳ１１７２）。これにより、ＰＤ対応であるが特定の種別ではないＥＶＦ１２００ａにおける接続制御処理を終了する。一方、撮像装置１００は、終了トリガの有無を検出し（ステップＳ１１８）、無い場合はステップＳ１１７に戻り、ＥＶＦ出力を継続する一方、有った場合はＥＶＦ出力を完了し、撮像装置１００における接続制御処理を終了する。
【００７１】
以上の通り、特定の種別のＥＶＦ２００は、ＰＤ対応であるが特定の種別ではないＥＶＦ１２００ａと異なり、ＳＢＵ１端子及びＳＢＵ２端子のいずれからの信号線も接続検出部２０８ａ内でＶＢＵＳ＿Ｓｉｎｋと接続させている。これにより、ＳＢＵ１端子及びＳＢＵ２端子のいずれの電圧レベルも検出することで、撮像装置１００はケーブル３００を介して接続する外部機器が特定の種別であるＥＶＦ２００であるか否かを特定できる。さらに、撮像装置１００は、ＥＶＦ２００であると特定した場合は、ＥＶＦ２００における撮像装置１００へのケーブル３００を介した接続後の初期設定にかかる時間を短縮し、表示部２０３に速やかに画像を表示することができる。さらには、特定の種別のＥＶＦ２００の表示部２０３に画像が表示された後に、撮像装置１００がＥｍａｒｋｅｒ通信、ＰＤネゴシエーションを行うので、解像度、フレームレート、輝度、色度、ＰＤ電流などを最適な設定にすることができる。
【実施例２】
【００７２】
実施例１ではＥＶＦ２００の接続検出用端子として、コネクタ部１０１における２つのＳＢＵ端子のうち、そこからの信号線がＰＤ対応であるが特定の種別ではないＥＶＦ１２００ａにおいてＧＮＤ接続される方のＳＢＵ端子を用いた。これに対し、本実施例では、図７で詳述するように、ＧＮＤ端子の１つを接続検出用端子として用いる。
【００７３】
図７は、撮像装置１００にケーブル３００を介して実施例２に係る特定の種別のＥＶＦ２００が接続されている場合の接続状態を示す要部ブロック図である。ＥＶＦ２００は、以下説明する接続検出部２０８ｂ及びこれと接続検出部１２６を繋ぐ信号線以外については、図３のＥＶＦ１２００ａと同一である。よって、以下の説明に関わらない符号のブロックは説明を省略すると共に、図７における表記も省略する。同様に、撮像装置１００については、図３において説明をしていなかったブロックについてのみ図７に表記し、以下の説明に関わらない符号のブロックは説明を省略する。
【００７４】
撮像装置１００の接続検出部１２６は、電圧監視部Ａ１２６０の他に、プルアップ抵抗部１２６４、電圧監視部Ｄ１２６３を更に備える。
【００７５】
プルアップ抵抗部１２６４は、ケーブル３００のプラグが備える４つのＧＮＤ端子のうち一つ（以下ＧＮＤ１端子という。）とＶＣＣとの間に接続される。本実施例において、プルアップ抵抗部１２６４の抵抗値は、１００ｋΩである。
【００７６】
電圧監視部Ｄ１２６３は、ＧＮＤ１端子の電圧レベルを検出し、その情報を種別判定部１０３へ送信する。種別判定部１０３は受け取った電圧レベルと記録部１２０に保存されている図９のルックアップテーブルと照合する事によって接続された機器の種別を識別する。ＶＳＥＮＳＥ  Ｄは、電圧監視部Ｄ１２６３が検出した電圧レベルである。
【００７７】
次に、実施例２に係るＥＶＦ２００の機能ブロックを図７を用いて説明する。
【００７８】
接続検出部２０８ｂは、ＥＶＦスイッチ切替え部２０８０、ＥＶＦプルダウン抵抗部２０８１から構成される。
【００７９】
ＥＶＦスイッチ切替え部２０８０は、１ｐｉｎ―２ｐｉｎ（以下、状態１と呼ぶ）、１ｐｉｎ―３ｐｉｎ（以下、状態２と呼ぶ）の２状態を切り替え可能なスイッチであり、後述するＳＷ制御部２０１２によって制御される。１ｐｉｎは、撮像装置１００のプルアップ抵抗部１２６４が接続されるＧＮＤ１端子からの信号線と接続する。２ｐｉｎは、ＥＶＦプルダウン抵抗部２０８１と接続する。３ｐｉｎは、ＧＮＤと接続する。本実施例において、ＥＶＦプルダウン抵抗部２０８１の抵抗値は、１０ｋΩである。
【００８０】
ＳＷ制御部２０１２は、ＥＶＦスイッチ切替え部２０８０の制御を司っている。ＥＶＦスイッチ切替え部２０８０は、初期状態においては状態１である。しかし、図７におけるＥＶＦ２００の種別は電力が大きい種別であるため状態１を維持すると制御部２０１１へ電源が供給された後にＧＮＤが供給能力不足となる。よって、撮像装置１００よりからＧＮＤ１端子の電圧レベルの検出が終了した旨の通知があると、ＳＷ制御部２０１２は状態２へ切り替える。すなわち、少なくとも撮像装置１００におけるＧＮＤ１端子の電圧レベルの検出時において、ＳＷ制御部２０１２はＥＶＦスイッチ切替え部２０８０を状態１となるよう制御する。一方、ＥＶＦ２００の種別が電力が小さい種別の場合は、状態１のままでもよい。
【００８１】
図８は、実施例２における接続制御処理の手順を示すフローチャートである。本処理は、撮像装置１００にケーブル３００を介して図３におけるＰＤ対応だが特定の種別ではないＥＶＦ１２００ａ又は図７における特定の種別のＥＶＦ２００が接続されている場合に実行される。尚、本処理のうち、図６Ａ〜６Ｃを用いて説明した実施例１に係るステップと同一のステップについては重複した説明は省略する。
【００８２】
まず、図６Ａに示す処理が撮像装置１００、ＥＶＦ２００の夫々において行われる。
【００８３】
本実施例では、Ｔｙｐｅ−Ｃ規格の４つあるＧＮＤ端子のうちの一つであるＧＮＤ１端子を接続検出用端子として用いている。また、前述の通り、図７におけるＥＶＦ２００は電力が大きい種別である。よって、図６ＡのステップＳ１０３１でシステム制御部２０１が起動した後、図８のステップＳ２０４に進む際、まず、ＳＷ制御部２０１２は、通信部２０１０を介して撮像装置１００からＧＮＤ１端子の電圧レベルの検出が終了した旨の通知を待つ。かかる通知があると、ＳＷ制御部２０１２は、ＥＶＦスイッチ切替え部２０８０の状態を状態１から状態２へ変更する（ステップＳ２０４）。
【００８４】
一方、撮像装置１００では、種別判定部１０３が図６ＡのステップＳ１０３で撮像装置１００に接続されるＰＤ対応の外部機器（本実施例では図７におけるＥＶＦ２００）に電源を供給した後、図８のステップＳ２０５に進む。ステップＳ２０５において、電圧監視部Ｄ１２６３がＧＮＤ１端子の電圧レベルを検出し、種別判定部１０３が、その検出された電圧レベルと図９のルックアップテーブルを照合する。これにより、電源供給中の外部機器が、ＰＤ対応であるが特定の種別でないＥＶＦ１２００ａか、特定の種別のうち電力が小さい種別（図９のＥＶＦ２）か、電力が大きい種別（図９のＥＶＦ１）かが特定される。図７におけるＥＶＦ２００がケーブル３００を介して撮像装置１００に接続される場合、電圧監視部Ｄ１２６３からはＧＮＤ１端子の電圧レベルとして０．４５Ｖが検出される。このため、電源供給中の外部機器としてのＥＶＦ２００はＥＶＦ１であると特定され、ステップｓ２０６に進む。また、ステップＳ２０５において、電源供給中の外部機器としてのＥＶＦ２００はＥＶＦ２であると特定された場合も、電圧監視部Ｄ１２６３からはＧＮＤ１端子の電圧レベルが検出されるため、ステップＳ２０６に進む。一方、図４におけるＰＤ対応だが特定の種別ではないＥＶＦ１２００ａがケーブル３００を介して撮像装置１００に接続される場合、ＧＮＤ１端子はＧＮＤ接続されている。よって、電圧監視部Ｄ１２６３はＧＮＤ１端子の電圧レベルを検出できない、すなわち、０Ｖとなる。この場合、図６ＢのステップＳ１１３に進む。すなわち、システム制御部１０２は、ステップＳ２０５で検出されるＧＮＤ１端子の電圧レベルが０．３Ｖ以上（所定値以上）であった場合、ケーブル３００を介して接続する外部機器はＥＶＦ２００であると特定する。さらに、ステップＳ２０５で検出されるＧＮＤ１端子の電圧レベルが０．３Ｖ以上０．８Ｖ未満（所定範囲）である場合は特定されたＥＶＦ２００はＥＶＦ１であると特定する。一方、ステップＳ２０５で検出されるＧＮＤ１端子の電圧レベルが１．０Ｖ以上１．５Ｖ未満である場合は特定されたＥＶＦ２００はＥＶＦ２であると特定する。
【００８５】
尚、ステップＳ２０５が終了した時点で通信部１０６は通信部２０１０にＧＮＤ１端子の電圧レベルの検出が終了した旨を通知する。また、かかる通知にＥＶＦ２００はＥＶＦ１、ＥＶＦ２のいずれであるかの情報を含ませてもよい。これにより、ＥＶＦ２００側で予め自機がＥＶＦ１、ＥＶＦ２のいずれであるかの情報を保持する必要がなくなる。
【００８６】
ステップＳ２０６において、撮像装置１００では、システム制御部１０２が、記録部１２０からＥＶＦ１の各種パラメータを読み出し（ステップＳ２０６）。この読み出した各種パラメータを使うことで、Ｅｍａｒｋｅｒ通信及びＰＤネゴシエーションを行うことなく電力の設定を行う（ステップＳ２０７）。その後、ＰＤ制御部１０５が、ＥＶＦ２００のＰＤ制御部３０１とＣＣ通信を行い、Ａｌｔ．ｍｏｄｅの設定を行った後（ステップＳ２０８）、図６ＣのステップＳ１０８に進む。尚、実施例１と同じく、ステップＳ２０８の処理後、Ｅｍａｒｋｅｒ通信及びＰＤネゴシエーションを行い、再設定が必要な場合は、現在の設定値を置き換えるようにしてもよい。
【００８７】
以上の通り、特定の種別のＥＶＦ２００は、ＰＤ対応であるが特定の種別ではないＥＶＦ１２００ａと異なり、初期状態においては、ＧＮＤ１端子からの信号線を接続検出部２０８ａ内でＶＢＵＳ＿Ｓｉｎｋと接続させる状態１とする。これにより、ＧＮＤ１端子の電圧レベルを検出し、図９のルックアップテーブルと照合することで、撮像装置１００はケーブル３００を介して接続する外部機器が特定の種別であるＥＶＦ２００であるか否かを特定できる。さらに、撮像装置１００は、ＥＶＦ２００であると特定した場合は、ＥＶＦ２００における撮像装置１００へのケーブル３００を介した接続後の初期設定にかかる時間を短縮し、表示部２０３に速やかに画像を表示することができる。
【００８８】
また、ＥＶＦ２００は、状態１とＧＮＤ１端子からの信号線をＧＮＤ接続される状態２との切り替えを行うＥＶＦスイッチ切替え部２０８０を有する。よって、ＥＶＦ２００が電力が大きい種別である場合、撮像装置１００よりからＧＮＤ１端子の電圧レベルの検出が終了した旨の通知があると、状態１から状態２に切り替える。これにより、制御部２０１１へ電源が供給された後にＧＮＤが供給能力不足となるのを防止することができる。
【実施例３】
【００８９】
実施例１及び実施例２のいずれかに記載の方法によりケーブル３００を介して撮像装置１００に接続される外部機器が特定の種別のＥＶＦ２００であると検出された後のＥＶＦ２００、撮像装置１００の表示制御処理について以下説明する。
【００９０】
実施例１、実施例２のように、Ａｌｔ．ｍｏｄｅの設定がされた後に画像表示用の信号をＥＶＦ２００に送信する場合、ＥＶＦ２００はＨＤＭＩ信号しか受け付けなくなる。このため、撮像装置１００は、ＨＤＭＩ信号をＨＤＭＩ接続部１１０を介して接続する外部モニタ（以下、ＨＤＭＩモニタという）に送信できなくなる。
【００９１】
そこで本実施例では、撮像装置１００において、実施例１，２のいずれかの方法でＥＶＦ２００の接続が検出された場合、ＰＤネゴシエーション、Ｅｍａｒｋｅｒ通信、及びＡｌｔ．ｍｏｄｅの設定をせず、ＭＩＰＩ信号をＥＶＦ２００に送信する。
【００９２】
図１１は、撮像装置１００にケーブル３００を介して実施例３に係る特定の種別のＥＶＦ２００が接続されている場合の接続状態を示す要部ブロック図である。ＥＶＦ２００は、以下説明するＳＷ部２０９、及びＳＷ部２０９を介して伝送ＳＷ部１０９からの信号を伝送変換部２０４を介することなく表示部２０３に繋ぐ信号線以外については、図５又は図７のうちの一方のＥＶＦ２００と同一である。よって、以下の説明に関わらない符号のブロックは説明を省略すると共に、図１１における表記も省略する。また、撮像装置１００については、図３において説明をしていなかったブロックについてのみ図１１に表記し、以下の説明に関わらない符号のブロックは説明を省略する。
【００９３】
撮像装置１００の伝送ＳＷ部１０９は、その拡大図である図１１（ｂ）に示すように２入力２出力のクロスポイントＳＷからなる。
【００９４】
また、撮像装置１００は、図１１（ａ）に示すように、伝送部１０８のＨＤＭＩから出力されるＨＤＭＩ信号を伝送ＳＷ部１０９を介することなくＨＤＭＩ接続部１１０に繋ぐ信号線Ａを有する。
【００９５】
本実施例では、撮像装置１００においてＥＶＦ２００の接続が検出された場合、図１１（ａ）に示すように、ＳＷ制御部１０７は、伝送部１０８からのＭＩＰＩ信号をＥＶＦ２００に出力するがＨＤＭＩ信号の出力は停止するように伝送ＳＷ部１０９を制御する。これにより、撮像装置１００にＨＤＭＩ接続部１１０を介してＨＤＭＩモニタが接続された場合、伝送部１０８からのＨＤＭＩ信号を信号線ＡによりＨＤＭＩモニタに出力することが可能となる。
【００９６】
本実施例に係るＥＶＦ２００は、図５又は図７における構成に加えて、図１１（ａ）に示すように、伝送変換部２０４の信号入力部側にＳＷ部２０９を有する。また、ＳＷ部２０９を介して伝送ＳＷ部１０９からの信号を伝送変換部２０４を介することなく表示部２０３に繋ぐ信号線を有する。ＳＷ部２０９は、図１１（ａ）においてシステム制御部２０１の制御により、伝送ＳＷ部１０９からの信号を伝送変換部２０４に出力するか、表示部２０３に直接出力するかを切り替える。
【００９７】
図１０は、撮像装置１００にケーブル３００を介して実施例１，２のいずれかに係る特定の種別のＥＶＦ２００が接続されている場合の表示制御処理の手順を示すフローチャートである。
【００９８】
ここで、撮像装置１００において実施例１の方法でＥＶＦ２００の接続の有無が検出される場合、ＥＶＦ２００においては、図６ＡのステップＳ１０３１でシステム制御部２０１が起動した後、図１０のステップＳ３０６に進む。また、撮像装置１００においては、電圧監視部Ｃ１２６２で検出されるＳＢＵ２端子の電圧レベルがＶＢＵＳ＿Ｓｉｎｋの５．０Ｖとなった場合（ステップＳ１０５でＹＥＳ）の場合に、図１０のステップＳ３０１に進む。
【００９９】
また、撮像装置１００において実施例２の方法でＥＶＦ２００の接続の有無が検出される場合、ＥＶＦ２００においては、実施例１の方法で検出される場合と同様に、ステップＳ１０３１の処理後、図１０のステップＳ３０６に進む。一方、撮像装置１００においては、電圧監視部Ｄ１２６３で検出されるＧＮＤ１端子の電圧レベルが検出された場合（ステップＳ２０５でＹＥＳ）の場合に、図１０のステップＳ３０１に進む。
【０１００】
図１０において、撮像装置１００では、伝送部１０８がＥＶＦ２００への画像表示を開始するか否かを判断する（ステップＳ３０１）。かかる画像表示を開始すると判断した場合（ステップＳ３０１でＹＥＳ）、ステップＳ３０２に進み、通信部１０６がＥＶＦ２００の通信部２０１０に表示準備命令を通知する。その後、伝送部１０８は、ＭＩＰＩ信号を出力する（ステップＳ３０３）。
【０１０１】
ＥＶＦ２００では、通信部２０１０がステップＳ３０２で撮像装置１００から通知された表示準備命令を受信すると（ステップＳ３０６）、システム制御部２０１は、表示部２０３における画像表示の準備を行う（ステップＳ３０７）。この準備には、システム制御部２０１が、伝送ＳＷ部１０９からの信号を表示部２０３に直接出力するようにＳＷ部２０９を切り替える制御も含まれる。
【０１０２】
その後、画像表示の準備が完了すると、通信部２０１０はその旨を通信部１０６に通知する（ステップＳ３０８）。
【０１０３】
撮像装置１００では、通信部１０６がステップＳ３０８でＥＶＦ２００からの表示準備が完了した旨の通知を受信すると（ステップＳ３０４）、ステップＳ３０５に進む。ステップＳ３０５では、ＳＷ制御部１０７は、図１１（ｂ）の２入力２出力のクロスポイントＳＷからなる伝送ＳＷ部１０９でＭＩＰＩ信号が出力されるように制御を行う。
【０１０４】
ＥＶＦ２００では、ステップＳ３０９にて、ＳＷ部２０９がステップＳ３０５で伝送ＳＷ部１０９から出力されたＭＩＰＩ信号を受信する。前述した通り、ステップＳ３０７でＳＷ部２０９は伝送ＳＷ部１０９からの信号を表示部２０３に直接出力するように切り替えられている。このため、この受信したＭＩＰＩ信号は表示部２０３に直接送信され、表示部２０３がその送信されたＭＩＰＩ信号に基づき画像表示を開始する（ステップＳ３１０）。
【０１０５】
その後、撮像装置１００では、ステップＳ３２０にて、伝送部１０８がＨＤＭＩ接続部１１０を介してＨＤＭＩモニタへの画像表示を開始するか否かを判断する。かかる画像表示を開始しないと判断した場合、ステップＳ３２１に進み、伝送部１０８はＨＤＭＩ信号の出力を停止する。ステップＳ３２２にて、ＳＷ制御部１０７は、伝送ＳＷ部１０９の制御を行い、伝送ＳＷ部１０９からＨＤＭＩ信号の出力を停止して、本処理を終了する。すなわち、ステップＳ３２１，Ｓ３２２により、伝送部１０８から直接又は伝送ＳＷ部１０９を介したＨＤＭＩ接続部１１０へのＨＤＭＩ信号の出力が停止する。一方、ステップＳ３２０にて、ＨＤＭＩモニタへの画像表示を開始すると判断した場合、ステップＳ３２３に進む。ステップＳ３２３にて、伝送部１０８は、ステップＳ３０３から開始しているＭＩＰＩ信号の出力に加えてＨＤＭＩ信号を出力する。ステップＳ３２４にて、ＳＷ制御部１０７は、伝送ＳＷ部１０９に対して、ＨＤＭＩ接続部１１０を介してＨＤＭＩモニタへＨＤＭＩ信号を伝送するように制御する。これにより、ＨＤＭＩモニタにおけるＨＤＭＩ信号に基づく画像表示を開始して（ステップＳ３２５）、本処理を終了する。
【０１０６】
一方、撮像装置１００では、ステップＳ３０１にてＥＶＦ２００への画像表示を開始しないと判断した場合、ステップＳ３１１に進む。ステップＳ３１１にて、伝送部１０８は、ＭＩＰＩ信号の出力を停止する。また、ステップＳ３１２にてＳＷ制御部１０７は、伝送ＳＷ部１０９の出力を停止する。次にステップＳ３１３にて、伝送部１０８がＨＤＭＩモニタへの画像表示を開始するか否かを判断する。かかる画像表示を開始しないと判断した場合、ステップＳ３１７に進む。ステップＳ３１７にて、伝送部１０８は、ＨＤＭＩ接続部１１０へのＨＤＭＩ信号の出力を停止する。ステップＳ３１８にて、ＳＷ制御部１０７は、伝送ＳＷ部１０９の制御を行い、伝送ＳＷ部１０９からＨＤＭＩ信号の出力を停止して、本処理を終了する。すなわち、ステップＳ３１７，Ｓ３１８により、伝送部１０８から直接又は伝送ＳＷ部１０９を介したＨＤＭＩ接続部１１０へのＨＤＭＩ信号の出力が停止する。一方、ステップＳ３１３にてＨＤＭＩモニタへの画像表示を開始すると判断した場合、ステップＳ３１４に進む。ステップＳ３１４にて、伝送部１０８は、ＨＤＭＩ信号を出力する。ステップＳ３１５にて、ＳＷ制御部１０７は、伝送ＳＷ部１０９に対して、ＨＤＭＩ接続部１１０を介してＨＤＭＩモニタへＨＤＭＩ信号を出力するように制御する。これにより、ＨＤＭＩモニタにおけるＨＤＭＩ信号に基づく画像表示を開始して（ステップＳ３１６）、本処理を終了する。
【０１０７】
図１２は、撮像装置１００にケーブル３００を介して図３におけるＰＤ対応だが特定の種別ではないＥＶＦ１２００ａが接続されている場合の表示制御処理の手順を示すフローチャートである。
【０１０８】
ここで、撮像装置１００において実施例１の方法でＥＶＦ２００の接続の有無が検出される場合、ＥＶＦ１２００ａにおいては、図６ＡのステップＳ１０３２でシステム制御部２０１が起動した後、図１２のステップＳ４０６に進む。また、撮像装置１００においては、電圧監視部Ｃ１２６２で検出されるＳＢＵ２端子の電圧レベルがＶＢＵＳ＿Ｓｉｎｋの５．０Ｖでない場合（ステップＳ１０５でＮＯ）の場合に、図１２のステップＳ４０１に進む。
【０１０９】
また、撮像装置１００において実施例２の方法でＥＶＦ２００の接続の有無が検出される場合、ＥＶＦ１２００ａにおいては、実施例１の方法で検出される場合と同様に、ステップＳ１０３２の処理後、図１２のステップＳ４０６に進む。一方、撮像装置１００においては、電圧監視部Ｄ１２６３で検出されるＧＮＤ１端子の電圧レベルが検出されなかった場合（ステップＳ２０５でＮＯ）の場合に、図１２のステップＳ４０１に進む。
【０１１０】
図１２において、撮像装置１００では、伝送部１０８がＥＶＦ１２００ａへの画像表示を開始するか否かを判断する（ステップＳ４０１）。かかる画像表示を開始すると判断した場合（ステップＳ４０１でＹＥＳ）、ステップＳ４０２進み、通信部１０６がＥＶＦ１２００ａの通信部２０１０に表示準備命令を通知する。その後、伝送部１０８は、ＨＤＭＩ信号を出力する（ステップＳ４０３）。
【０１１１】
ＥＶＦ１２００ａでは、通信部２０１０がステップＳ４０２で撮像装置１００から通知された表示準備命令を受信すると（ステップＳ４０６）、システム制御部２０１は、表示部２０３における画像表示の準備を行う（ステップＳ４０７）。図１０のステップＳ３０７と異なり、この準備には、システム制御部２０１が、伝送ＳＷ部１０９からの信号を伝送変換部２０４を介して表示部２０３に出力するようにＳＷ部２０９を切り替える制御が含まれる。
【０１１２】
その後、画像表示の準備が完了すると、通信部２０１０はその旨を通信部１０６に通知する（ステップＳ４０８）。
【０１１３】
撮像装置１００では、通信部１０６がステップＳ４０８でＥＶＦ１２００ａからの表示準備が完了した旨の通知を受信すると（ステップＳ４０４）、ステップＳ４０５に進む。ステップＳ４０５では、ＳＷ制御部１０７は、伝送ＳＷ部１０９でＨＤＭＩ信号が出力されるように制御を行う。
【０１１４】
ＥＶＦ２００では、ステップＳ４０９にて、ＳＷ部２０９がステップＳ４０５で伝送ＳＷ部１０９から出力されたＨＤＭＩ信号を受信する。前述した通り、ステップＳ４０７でＳＷ部２０９は伝送ＳＷ部１０９からの信号を伝送変換部２０４を介して表示部２０３に出力するように切り替えられているため、この受信したＨＤＭＩ信号は伝送変換部２０４にまず送信される。伝送変換部２０４は、ＨＤＭＩ信号をＳＷ部２０９から受信するとこれをＭＩＰＩ信号に変換した後、表示部２０３に送信する（ステップＳ４１０）。表示部２０３がその送信されたＭＩＰＩ信号に基づき画像表示を開始して（ステップＳ４１１）、本処理を終了する。
【０１１５】
その後撮像装置１００では、ステップＳ４２０にて、伝送部１０８がＨＤＭＩモニタへの画像表示を開始するか否かを判断する。かかる画像表示を開始しないと判断した場合、ステップＳ４２４に進み、伝送部１０８はＨＤＭＩ信号の出力を停止する。ステップＳ４２５にて、ＳＷ制御部１０７は、伝送ＳＷ部１０９の制御を行い、伝送ＳＷ部１０９からのＨＤＭＩ信号の出力を停止して、本処理を終了する。すなわち、ステップＳ４２４，Ｓ４２５により、伝送部１０８から直接又は伝送ＳＷ部１０９を介したＨＤＭＩ接続部１１０へのＨＤＭＩ信号の出力が停止する。一方、ステップＳ４２０にてＨＤＭＩモニタへの画像表示を開始すると判断した場合、ステップＳ４２１に進む。ステップＳ４２１にて、伝送部１０８は、ステップＳ４０３から開始しているＥＶＦ１２００ａ用のＨＤＭＩ信号の出力に加えてＨＤＭＩモニタ用のＨＤＭＩ信号を出力する。ステップＳ４２２にて、ＳＷ制御部１０７は、伝送ＳＷ部１０９に対して、ステップＳ４０５から開始しているＥＶＦ用のＨＤＭＩ信号の出力を中止し、ＨＤＭＩ接続部１１０を介してＨＤＭＩモニタへＨＤＭＩ信号を出力するように制御する。これにより、ＨＤＭＩモニタにおけるＨＤＭＩ信号に基づく画像表示を開始して（ステップＳ４２３）、本処理を終了する。
【０１１６】
一方、撮像装置１００では、ステップＳ４０１にてＥＶＦ１２００ａへの画像表示を開始しないと判断した場合、ステップＳ４１２に進む。ステップＳ４１２にて、伝送部１０８は、ＭＩＰＩ信号の出力を停止する。また、ステップＳ４１３にてＳＷ制御部１０７は、伝送ＳＷ部１０９の出力を停止する。次にステップＳ４１４にて、伝送部１０８がＨＤＭＩモニタへの画像表示を開始するか否かを判断する。かかる画像表示を開始しないと判断した場合、ステップＳ４１８に進む。ステップＳ４１８にて、伝送部１０８は、ＨＤＭＩ接続部１１０へのＨＤＭＩ信号の出力を停止する。ステップＳ４１９にて、ＳＷ制御部１０７は、伝送ＳＷ部１０９の制御を行い、伝送ＳＷ部１０９からＨＤＭＩ信号の出力を停止して、本処理を終了する。すなわち、ステップＳ４１８，Ｓ４１９により、伝送部１０８から直接又は伝送ＳＷ部１０９を介したＨＤＭＩ接続部１１０へのＨＤＭＩ信号の出力が停止する。一方、ステップＳ４１４にてＨＤＭＩモニタへの画像表示を開始すると判断した場合、ステップＳ４１５に進む。ステップＳ４１５にて、伝送部１０８は、ＨＤＭＩ信号を出力する。ステップＳ４１６にて、ＳＷ制御部１０７は、伝送ＳＷ部１０９に対して、ＨＤＭＩ接続部１１０を介してＨＤＭＩモニタへＨＤＭＩ信号を出力するように制御する。これにより、ＨＤＭＩモニタにおけるＨＤＭＩ信号に基づく画像表示を開始し（ステップＳ４１７）、本処理を終了する。
【０１１７】
以上の通り、撮像装置１００は、ケーブル３００を介して特定の種別のＥＶＦ２００が接続されていることが特定できた場合、ＥＶＦ２００への画像表示にはＭＩＰＩ信号を送信する。これにより、ＨＤＭＩ接続部１１０に接続される外部モニタへの画像表示のためＨＤＭＩ信号を送信することができる。
【０１１８】
また、ＥＶＦ２００は、ケーブル３００を介して撮像装置１００と接続した後、ステップＳ３０２の表示準備命令が通知された場合、システム制御部２０１はＳＷ部２０９を伝送ＳＷ部１０９からの信号を表示部２０３に直接出力するように切り替える。これにより、上記ＥＶＦ２００から送信されたＭＩＰＩ信号を用いて表示部２０３での画像表示を行うことができる。
【実施例４】
【０１１９】
本発明の目的は、前述した実施形態の機能を実現するソフトウェアのプログラムコードを記録した記憶媒体を、装置に供給することによっても、達成されることは。このとき、供給された装置の制御部を含むコンピュータ（またはＣＰＵやＭＰＵ）は、記憶媒体に格納されたプログラムコードを読み出し実行する。
【０１２０】
この場合、記憶媒体から読み出されたプログラムコード自体が前述した実施形態の機能を実現することになり、プログラムコード自体及びそのプログラムコードを記憶した記憶媒体は本発明を構成することになる。
【０１２１】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０１２２】
また、上述のプログラムコードの指示に基づき、装置上で稼動しているＯＳ（基本システムやオペレーティングシステム）などが処理の一部又は全部を行い、その処理によって前述した実施形態の機能が実現される場合も含まれる。
【０１２３】
さらに、記憶媒体から読み出されたプログラムコードが、装置に挿入された機能拡張ボードやコンピュータに接続された機能拡張ユニットに備わるメモリに書込まれ、前述した実施形態の機能が実現される場合も含まれることは。このとき、そのプログラムコードの指示に基づき、その機能拡張ボードや機能拡張ユニットに備わるＣＰＵ等が実際の処理の一部又は全部を行う。
【符号の説明】
【０１２４】
１００  撮像装置
１０２，２０１  システム制御部
１０６，２０１０  通信部
１２６  接続検出部
２０６  ＥＶＦ電源部
２０８ａ，２０８ｂ  接続検出部
２０９  ＳＷ部
３００  ケーブル
１２００ａ，１２００ｂ，２００  ＥＶＦ
１２６０〜１２６３  電圧監視部Ａ〜Ｄ
２０１１  制御部
２０１２  ＳＷ制御部
【図１】
2019220088.tif 000003
【図２】
2019220088.tif 000004
【図３】
2019220088.tif 000005
【図４】
2019220088.tif 000006
【図５】
2019220088.tif 000007
【図６Ａ】
2019220088.tif 000008
【図６Ｂ】
2019220088.tif 000009
【図６Ｃ】
2019220088.tif 000010
【図７】
2019220088.tif 000011
【図８】
2019220088.tif 000012
【図９】
2019220088.tif 000013
【図１０】
2019220088.tif 000014
【図１１】
2019220088.tif 000015
【図１２】
2019220088.tif 000016